(57)【要約】【課題】消費電力を最小限にすると共に、接近するだけで確実に電気錠を解錠可能にする。【解決手段】電気錠システム１は、非接触キー３ａ、３ｂの固有の識別情報を認証したときに、扉に設けられた電気錠装置２を解錠するものであって、扉近傍の人を検知する室外人感センサ６及び室内人感センサ７と、室外人感センサ６又は室内人感センサ７が扉近傍の人を検知しているときに作動して、非接触キー３ａ又は３ｂを起動させるために起動信号を発信すると共に、非接触キー３ａ又は３ｂから識別情報を読み取り可能となる室外リーダ４及び室内リーダ５と、を備え、室外人感センサ６又は室内人感センサ７が扉近傍の人を検知するまで、室外リーダ４又は室内リーダ５を停止状態にする。【選択図】図１
2014173324.tif 000002
【特許請求の範囲】
【請求項１】
非接触媒体の固有の識別情報を認証したときに、扉に設けられた電気錠を解錠する電気錠システムであって、
前記扉近傍の人を検知する人検知装置と、
前記人検知装置が前記扉近傍の人を検知してから作動して、前記非接触媒体を起動させるために起動信号を発信すると共に、前記非接触媒体から前記識別情報を読み取り可能となる読取装置と、
を備えたことを特徴とする電気錠システム。
【請求項２】
前記読取装置は、室外側又は室内側の扉又は扉周囲の壁に設けられ、
前記人検知装置は、前記読取装置に近接して設けられることを特徴とする請求項１に記載の電気錠システム。
【請求項３】
前記人検知装置の検知範囲は、前記読取装置の通信範囲を包含するように設定されることを特徴とする請求項１又は２に記載の電気錠システム。
【請求項４】
前記非接触媒体の識別情報を認証すると共に、前記人検知装置による検知結果に応じて前記読取装置の作動及び停止を制御する制御部を備えることを特徴とする請求項１乃至３の何れか１項に記載の電気錠システム。
【請求項５】
前記制御部は、前記非接触媒体の識別情報を正当と認証した場合に、前記読取装置を停止するように制御することを特徴とする請求項４に記載の電気錠システム。
【請求項６】
前記制御部は、前記読取装置の作動開始から所定の作動時間を経過するまでに、前記非接触媒体の正当な識別情報を認証できなかった場合に、前記読取装置を停止するように制御することを特徴とする請求項４又は５に記載の電気錠システム。
【発明の詳細な説明】
【技術分野】
【０００１】
本発明は、非接触キーの固有の識別情報を認証したときに、扉に設けられた電気錠を解錠する電気錠システムに関する。
【背景技術】
【０００２】
従来から、ホテルやオフィスビル等の商業施設又は公共施設の出入口や、集合住宅又は一般住宅のエントランスや玄関等では、その部屋又は領域への入退室又は入退場を制限するために、利用者の保持するリモコンやＩＣカード等の非接触キーに記憶された識別情報を認証したときに扉の電気錠を解錠する電気錠システムが採用されている。
【０００３】
電気錠システムは、非接触キーから識別情報を読み取るリーダを扉又は扉の近傍に備えている。リーダは、扉の近傍の非接触キーを起動させるために起動信号を発信する。非接触キーは、この起動信号に応じて起動して、固有の識別情報を含む応答信号をリーダへと送信する。このように、リーダは、非接触キーと非接触通信することにより識別情報を読み取る。
【０００４】
リーダは、通常、非接触キーから自動的に識別情報を読み取るために常に起動信号を発信するように構成されるので、扉の近傍に非接触キーがない場合でも起動信号を発信する等効率が悪く、消費電力が必要以上に大きくなり、システム運用上のコストが上昇している。また、このようなリーダを備えた電気錠システムでは、例えば、非接触キーを玄関付近に置き忘れた場合等、非接触キーがリーダの通信可能領域内にある場合には、非接触キーは、リーダから起動信号を受信するたびに応答信号を発信することになり、消費電力が大きくなり、非接触キーに備わる電池の寿命が低下する。
【０００５】
これに対して、特許文献１に開示されるような錠制御システムでは、錠制御装置の解錠スイッチが操作されると、リーダとしての錠制御装置から応答要求無線信号が出力され、非接触キーとしての携帯器は、この応答要求無線信号に応じて識別情報を有する応答無線信号を錠制御装置へと送信している。この携帯器は、動き検出センサを備え、携帯器の動きを検出したときだけ、上記の応答無線信号を送信するように構成されている。
【先行技術文献】
【特許文献】
【０００６】
【特許文献１】特開２００９−１３３１３７号公報
【発明の概要】
【発明が解決しようとする課題】
【０００７】
しかしながら、非接触キーを採用する電気錠システムは、通常、利用者が何ら操作することなく接近するだけで扉を解錠可能とすることに利点があるが、上述のようにリーダを作動させるために利用者に解錠スイッチの操作を強いる構成では、上記の利点が失われることになる。
【０００８】
また、解錠スイッチの操作時には、利用者は既に扉への接近を終えていて、殆ど動作しない状態となっているため、携帯器の動き検出センサが動きを検知できずに電気錠が解錠されなかったり、解錠のために何らかの動作をする必要が生じたりしている。従って、接近するだけでは扉が解錠可能とはならない。
【０００９】
本発明は、上記した課題を解決すべくなされたものであり、消費電力を最小限にすると共に、接近するだけで確実に電気錠を解錠可能にする電気錠システムを提供することを目的とするものである。
【課題を解決するための手段】
【００１０】
上記課題を解決するために、本発明の第１の電気錠システムは、非接触媒体の固有の識別情報を認証したときに、扉に設けられた電気錠を解錠する電気錠システムであって、前記扉近傍の人を検知する人検知装置と、前記人検知装置が前記扉近傍の人を検知してから作動して、前記非接触媒体を起動させるために起動信号を発信すると共に、前記非接触媒体から前記識別情報を読み取り可能となる読取装置と、を備えたことを特徴とする。
【００１１】
上述した本発明の第１の電気錠システムによれば、人検知装置が扉近傍の人を検知するまで読取装置を停止することにより、読取装置による起動信号の発信に要する消費電力を減少すると共に、扉近傍に置き忘れられた非接触媒体の応答信号の発信に要する消費電力をなくして電池の消耗を減少することができ、従って、読取装置並びに非接触媒体の何れにおいても、消費電力を最小限にすることができる。また、人検知装置による扉近傍の人の検知に応じて、読取装置を作動状態に切り換えることにより、停止状態の読取装置は、非接触媒体を保持した利用者が接近するだけで作動して非接触媒体から識別情報を読み取り可能となるため、利用者に操作を強いることなく確実に電気錠を解錠することができる。
【００１２】
また、本発明の第２の電気錠システムは、上述した本発明の第１の電気錠システムにおいて、前記読取装置は、室外側又は室内側の扉又は扉周囲の壁に設けられ、前記人検知装置は、前記読取装置に近接して設けられることを特徴とする。
【００１３】
上述した本発明の第２の電気錠システムによれば、非接触媒体を保持した利用者が読取装置へと接近するだけで、人検知装置が利用者を検知して、読取装置が作動する。従って、利用者は、人検知装置を意識することなく、読取装置に非接触媒体の識別情報を読み取らせることができる。
【００１４】
本発明の第３の電気錠システムは、上述した本発明の第１又は第２の電気錠システムにおいて、前記人検知装置の検知範囲は、前記読取装置の通信範囲を包含するように設定されることを特徴とする。
【００１５】
上述した本発明の第３の電気錠システムによれば、利用者が読取装置の通信範囲内にいるにも拘らず人検知装置に検知されないといった不具合を回避することができ、確実に電気錠を解錠することができる。
【００１６】
本発明の第４の電気錠システムは、上述した本発明の第１乃至第３の何れかの電気錠システムにおいて、前記非接触媒体の識別情報を認証すると共に、前記人検知装置による検知結果に応じて前記読取装置の作動及び停止を制御する制御部を備えることを特徴とする。
【００１７】
上述した本発明の第４の電気錠システムによれば、人検知装置及び読取装置を一元的に管理及び制御することができる。
【００１８】
本発明の第５の電気錠システムは、上述した本発明の第４の電気錠システムにおいて、前記制御部は、前記非接触媒体の識別情報を正当と認証した場合に、前記読取装置を停止するように制御することを特徴とする。
【００１９】
上述した本発明の第５の電気錠システムによれば、読取装置の消費電力をより減少すると共に、利用者が携帯する非接触媒体の認証後の消費電力をなくすことができ、電池の消耗をより減少することができる。
【００２０】
本発明の第６の電気錠システムは、上述した本発明の第４又は第５の電気錠システムにおいて、前記制御部は、前記読取装置の作動開始から所定の作動時間を経過するまでに、前記非接触媒体の正当な識別情報を認証できなかった場合に、前記読取装置を停止するように制御することを特徴とする。
【００２１】
上述した本発明の第６の電気錠システムによれば、人検知装置が利用者以外の人を検知して読取装置を作動させた場合でも、読取装置が作動し続けることがなく、消費電力をより減少することができる。
【発明の効果】
【００２２】
本発明によれば、消費電力を最小限にすると共に、接近するだけで確実に電気錠を解錠可能にする。
【図面の簡単な説明】
【００２３】
【図１】本発明の一実施形態に係る電気錠システムの概略を示すブロック図である。
【図２】本発明の一実施形態に係る電気錠システムの動作を示すフローチャートである。
【発明を実施するための形態】
【００２４】
本発明の一実施形態に係る電気錠システムについて、添付の図面を参照しながら説明する。図１は、本発明の一実施形態に係る電気錠システムの構成の概略を示すブロック図、図２は、本発明の一実施形態に係る電気錠システムの動作を示すフローチャートである。
【００２５】
電気錠システム１は、入退室を制限する部屋の扉を電動で施解錠する電気錠装置２と、識別情報を記憶した非接触キー（非接触媒体）３ａ、３ｂとを備える。また、電気錠システム１は、非接触キー３ａ、３ｂから識別情報を読み取る室外リーダ（室外読取装置）４及び室内リーダ（室内読取装置）５と、扉の近傍の人を検知する室外人感センサ（室外人検知装置）６及び室内人感センサ（室内人検知装置）７とを備える。更に、電気錠システム１は、室外人感センサ６又は室内人感センサ７の検知結果に応じて室外リーダ４又は室内リーダ５の作動を制御すると共に、室外リーダ４又は室内リーダ５で受信した識別情報を認証したときに電気錠装置２を制御する制御ユニット８とを備える。
【００２６】
電気錠装置２は、例えば、デッドボルト（図示せず）及び該デッドボルトを移動させる電動アクチュエータ（図示せず）からなる施解錠機構１０と、電動アクチュエータを駆動するためのモータ等の駆動部１１とを備えて構成される。デッドボルトは、扉から突出するように移動して扉枠のストライク内に固定されることにより扉を施錠して開扉不能にし、他方、ストライクから抜脱するように移動して扉内に引き込まれることにより扉を解錠して開扉可能にする。電気錠装置２は、制御ユニット８に接続されていて、制御ユニット８から施錠又は解錠を指示する制御信号を受けて、この制御信号に応じて駆動部１１が電動アクチュエータを駆動する。
【００２７】
非接触キー３ａ及び３ｂは、各種情報を読み出し／書き込み可能に記憶する記憶領域を有するＩＣチップ等の電子部品を設けていて、特に、扉の施解錠許可の認証に必要な情報として、利用者情報等の固有の識別情報を記憶領域に記憶している。また、非接触キー３ａ及び３ｂは、電磁波や電波によって室外リーダ４及び室内リーダ５と非接触通信可能であって、室外リーダ４又は室内リーダ５から送信された起動信号に応じて起動して、識別情報を含む応答信号を室外リーダ４又は室内リーダ５へと送信する。
【００２８】
これらの非接触キー３ａ及び３ｂは、例えば、室外リーダ４又は室内リーダ５からの電波に応じて電力を発生させるパッシブタグを備えたＩＣカード等のカード状記憶媒体や、内蔵した電池等の電源より電力が供給されるアクティブタグを備えたリモコンキーでよい。なお、非接触キー３ａ及び３ｂは、室外リーダ４及び室内リーダ５と非接触通信可能で利用者が携帯可能な記憶媒体であればこれらに限定されない。
【００２９】
室外リーダ４及び室内リーダ５は、所定の通信範囲内の非接触キー３ａ及び３ｂと電磁波や電波によって非接触通信可能なリーダ又は受信装置であり、部屋の外側及び内側で扉の表面又はその周囲の壁面等にそれぞれ設けられる。また、室外リーダ４及び室内リーダ５は、制御ユニット８に接続されていて、制御ユニット８から作動又は停止を指示する制御信号を受けて、この制御信号に応じて作動状態又は停止状態となる。作動状態の室外リーダ４及び室内リーダ５は、非接触キー３ａ及び３ｂを起動させるための起動信号の周期的な発信を実行すると共に、この起動信号に応じた非接触キー３ａ及び３ｂからの応答信号を受信可能になる。更に、室外リーダ４及び室内リーダ５は、非接触キー３ａ又は３ｂから受信した応答信号から識別情報を読み取り、制御ユニット８へと送信する。
【００３０】
室外人感センサ６及び室内人感センサ７は、所定の検知範囲における人の有無を検知するための赤外線センサからなり、部屋の外側及び内側で扉の表面又はその周囲の壁面等において、それぞれ対応する室外リーダ４及び室内リーダ５に近接して設けられ、扉の近傍における人の有無を周期的に検知するように構成される。なお、室外人感センサ６及び室内人感センサ７の検知範囲は、それぞれ対応する室外リーダ４及び室内リーダ５の通信範囲を包含するように、より広く設定されるとよい。また、室外人感センサ６及び室内人感センサ７は、制御ユニット８に接続されていて、扉の近傍における人の有無を示す検知信号を制御ユニット８へと送信する。
【００３１】
制御ユニット８は、電気錠システム１の全体の動作を統括制御するＣＰＵ（Ｃｅｎｔｒａｌ  Ｐｒｏｃｅｓｓｉｎｇ  Ｕｎｉｔ）等の制御部１２と、この制御部１２による制御に必要な情報を記憶する記憶部１３とを備える。記憶部１３は、例えば、非接触媒体３ａ及び３ｂの識別情報の認証に用いられる一つ以上の認証情報（図示せず）を記憶する。
【００３２】
制御部１２は、例えば、リーダ制御部１４と、認証部１５と、電気錠制御部１６とを備えて構成され、又は各部の機能を有するプログラムを実行可能に構成される。
【００３３】
リーダ制御部１４は、室外人感センサ６又は室内人感センサ７から検知信号を受けて、人を検知しているときには室外リーダ４又は室内リーダ５を作動させる一方、人を検知していないときには室外リーダ４又は室内リーダ５の作動を停止するように制御する。また、リーダ制御部１４は、認証部１５による判定の結果、識別情報が正当であると認証したときにも、室外リーダ４又は室内リーダ５が作動していれば停止するようにそれぞれ制御する。更に、リーダ制御部１４は、室外リーダ４又は室内リーダ５の作動後、所定の作動時間を経過したときにも、室外リーダ４又は室内リーダ５が作動していれば停止するように制御する。
【００３４】
認証部１５は、非接触キー３ａ又は３ｂの識別情報を室外リーダ４又は室内リーダ５から受けて、記憶部１３に記憶された認証情報と比較して、識別情報が正当と認証できるか否かを判定する。
【００３５】
電気錠制御部１６は、認証部１５による判定の結果、識別情報が正当であると認証したときに電気錠装置２を解錠する一方、電気錠装置２の解錠状態が所定時間続いたときに電気錠装置２を施錠するように制御する。
【００３６】
次に、このような構成を備えた電気錠システム１の動作について図２のフローチャートを参照しながら説明する。
【００３７】
まず、電気錠システム１では、制御ユニット８、並びに非接触媒体３ａ及び３ｂについて初期設定を行い（ステップＳ１）、制御ユニット８に所定の認証情報を登録して記憶部１８に記憶させ、この認証情報に対応した識別情報を非接触媒体３ａ及び３ｂに記憶させる。特に、制御ユニット８では、リーダ制御部１４が室外リーダ４及び室内リーダ５のそれぞれに停止を指示する制御信号を供給し、室外リーダ４及び室内リーダ５は、停止指示の制御信号に応じて、起動信号を発信しない停止状態となる。
【００３８】
また、電気錠システム１は、室外人感センサ６及び室内人感センサ７を周期的に作動させて、室外及び室内の扉近傍における人の検知を実行する（ステップＳ２）。室外人感センサ６及び室内人感センサ７は、検知結果として扉近傍に人が存在するか否かを示す検知信号を制御ユニット８へと送信する。
【００３９】
制御ユニット８の制御部１２は、室外人感センサ６又は室内人感センサ７から検知信号を受信すると、それぞれ室外又は室内における扉近傍の人を検知したか否かを判断し、検知しないと判断した場合には（ステップＳ３：ＮＯ）、ステップＳ２に戻って、室外人感センサ６及び室内人感センサ７による検知を繰り返す。
【００４０】
一方、制御部１２は、室外又は室内における扉近傍の人を検知したと判断した場合には（ステップＳ３：ＹＥＳ）、リーダ制御部１４が室外リーダ４又は室内リーダ５に作動を指示する制御信号を供給する。このとき、室外リーダ４又は室内リーダ５は、作動指示の制御信号に応じて、起動信号を周期的に発信する作動状態となる（ステップＳ４）。そして、作動状態である室外リーダ４又は室内リーダ５は、非接触キー３ａ及び３ｂを起動させるための起動信号を扉近傍の通信範囲内で周期的に発信し、発信後には非接触キー３ａ及び３ｂからの応答信号の受信待ち状態となる。なお、リーダ制御部１４は、室外リーダ４又は室内リーダ５の作動開始からの経過時間を監視する。
【００４１】
この起動信号が室外又は室内における扉近傍に存在する非接触キー３ａ又は３ｂによって受信されると、非接触キー３ａ又は３ｂが起動信号に応じて起動して、固有の識別情報を含む応答信号を室外リーダ４又は室内リーダ５へと発信する。そして、室外リーダ４又は室内リーダ５は、非接触キー３ａ又は３ｂから応答信号を受信したとき（ステップＳ５：ＹＥＳ）、応答信号の識別情報を制御ユニット８へと通知し、制御ユニット８の制御部１２は、認証部１５による識別情報の認証処理（ステップＳ６）に移行する。この認証処理については後述する。
【００４２】
また、室外リーダ４又は室内リーダ５が応答信号を受信していないときには（ステップＳ５：ＮＯ）、制御部１２が、室外リーダ４又は室内リーダ５が作動開始から所定の作動時間を経過したか否かを確認し、経過していない場合には（ステップＳ７：ＮＯ）、室外リーダ４又は室内リーダ５が起動信号の発信及び応答信号の受信待ちを繰り返す（ステップＳ５）。
【００４３】
一方、室外リーダ４又は室内リーダ５の作動が所定の作動時間を経過した場合には（ステップＳ７：ＹＥＳ）、リーダ制御部１４が室外リーダ４又は室内リーダ５に停止を指示する制御信号を供給する。このとき、室外リーダ４又は室内リーダ５は、停止指示の制御信号に応じて停止状態となり（ステップＳ８）、その後、室外人感センサ６及び室内人感センサ７による扉近傍の人の検知（ステップＳ２）に戻る。
【００４４】
上記の識別情報の認証処理（ステップＳ６）では、認証部１５が、非接触キー３ａ又は３ｂの識別情報を、記憶部１３に記憶された認証情報と比較して、識別情報が正当と認証できるか否かを判定する。そして、識別情報を正当と認証した場合には（ステップＳ６：ＹＥＳ）、制御部１２において、電気錠制御部１６が電気錠装置２を解錠するように制御すると共に、リーダ制御部１４が室外リーダ４又は室内リーダ５を停止するように制御する。（ステップＳ９）。
【００４５】
一方、識別情報が不当である場合には（ステップＳ６：ＮＯ）、ステップＳ７に移行して、制御部１２が、室外リーダ４又は室内リーダ５が作動開始から所定の作動時間を経過したか否かを確認する。そして、所定の作動時間を経過していない場合には（ステップＳ７：ＮＯ）、室外リーダ４又は室内リーダ５が起動信号の発信及び応答信号の受信待ちを行う（ステップＳ５）。一方、所定の作動時間を経過した場合には（ステップＳ７：ＹＥＳ）、リーダ制御部１４が室外リーダ４又は室内リーダ５を停止するように制御し（ステップＳ８）、その後、室外人感センサ６及び室内人感センサ７による扉近傍の人の検知（ステップＳ２）に戻る。
【００４６】
また、電気錠制御部１６は、電気錠装置２が解錠から所定の解錠期間を経過したか否かを監視していて（ステップＳ１０）、所定の解錠期間を経過した場合（ステップＳ１０：ＹＥＳ）、電気錠装置２を施錠するように制御する（ステップＳ１１）。
【００４７】
更に、電気錠装置２の施錠後、室外人感センサ６及び室内人感センサ７による扉近傍の人の検知（ステップＳ２）に戻る。
【００４８】
本実施形態では上述のように、室外人感センサ６又は室内人感センサ７が扉近傍の人を検知するまで、室外リーダ４及び室内リーダ５を停止状態にしている。これにより、室外リーダ４及び室内リーダ５による起動信号の発信に要する消費電力を減少すると共に、扉近傍に置き忘れられた非接触キー３ａ及び３ｂの応答信号の発信に要する消費電力をなくして電池の消耗を減少することができ、従って、室外リーダ４及び室内リーダ５、並びに非接触キー３ａ及び３ｂの何れにおいても、消費電力を最小限にすることができる。また、室外人感センサ６又は室内人感センサ７による扉近傍の人の検知に応じて、制御ユニット８が室外リーダ４又は室内リーダ５を作動状態に切り換えている。これにより、停止状態の室外リーダ４又は室内リーダ５は、非接触キー３ａ又は３ｂを保持した利用者が室外人感センサ６又は室内人感センサ７へと接近するだけで作動して非接触キー３ａ又は３ｂから識別情報を読み取り可能となるため、利用者に操作を強いることなく確実に電気錠を解錠することができる。
【００４９】
また、本実施形態によれば、室外人感センサ６及び室内人感センサ７が、それぞれ対応する室外リーダ４及び室内リーダ５に近接して設けられる。これにより、非接触キー３ａ又は３ｂを保持した利用者が室外リーダ４又は室内リーダ５へと接近するだけで、室外人感センサ６又は室内人感センサ７が利用者を検知して、室外リーダ４又は室内リーダ５が作動する。従って、利用者は、室外人感センサ６や室内人感センサ７を意識することなく、室外リーダ４や室内リーダ５に非接触キー３ａ又は３ｂの識別情報を読み取らせることができる。
【００５０】
更に、本実施形態によれば、室外人感センサ６及び室内人感センサ７の検知範囲は、それぞれ対応する室外リーダ４及び室内リーダ５の通信範囲を包含するように設定される。これにより、利用者が室外リーダ４又は室内リーダ５の通信範囲内にいるにも拘らず室外人感センサ６又は室内人感センサ７に検知されないといった不具合を回避することができ、確実に電気錠を解錠することができる。
【００５１】
また更に、本実施形態によれば、非接触キー３ａ又は３ｂの識別情報を正当と認証した場合に、室外リーダ４及び室内リーダ５を停止状態にしている。これにより、室外リーダ４及び室内リーダ５の消費電力をより減少すると共に、利用者が携帯する非接触キー３ａ及び３ｂの認証後の消費電力をなくすことができ、電池の消耗をより減少することができる。
【００５２】
更にまた、本実施形態によれば、室外リーダ４又は室内リーダ５の作動開始から所定の作動時間を経過するまでに、制御ユニット８が制御部１２の認証部１５により非接触キー３ａ又は３ｂの正当な識別情報を認証できなかった場合には、室外リーダ４又は室内リーダ５を停止状態にしている。これにより、室外人感センサ６又は室内人感センサ７が利用者以外の人を検知して室外リーダ４又は室内リーダ５を作動させた場合でも、室外リーダ４又は室内リーダ５が作動し続けることがなく、消費電力をより減少することができる。
【００５３】
本実施形態では、室外リーダ４及び室内リーダ５の停止状態を、起動信号を発信しない状態として説明したが、他の異なる実施形態では、室外リーダ４及び室内リーダ５の電源をオフにした状態を停止状態とするように構成してもよい。
【００５４】
また、本実施形態では、室外人感センサ６及び室内人感センサ７を赤外線センサで構成することを説明したが、所定の検知範囲における人の有無を検知する人検知装置としての構成はこれに限定されない。例えば、他の異なる実施形態では、室外人感センサ６及び室内人感センサ７を、超音波や可視光、又は赤外線と超音波の組み合わせを用いた人検知装置や、その他の動き検出センサ等の人検知装置で構成してもよい。
【００５５】
本実施形態では、制御ユニット８の制御部１２において、リーダ制御部１４が室外人感センサ６及び室内人感センサ７から検知信号を受けて、室外リーダ４及び室内リーダ５の作動を制御する構成を説明したが、他の異なる実施形態では、室外リーダ４及び室内リーダ５が室外人感センサ６及び室内人感センサ７から直接、検知信号を受けて作動又は停止を切り換えるように構成してもよい。
【００５６】
本発明の電気錠システムは、複数の扉のそれぞれに認証機能を有する制御ユニットを設けて、非接触キーを各扉に共通に使用して施解錠できるように構成することもできる。また、本発明の電気錠システムは、ホテルやオフィスビル等の商業施設又は公共施設の出入口や、集合住宅又は一般住宅のエントランスや玄関等だけでなく、病院、リクリエーション施設、店舗、ショッピングセンター、学校等、様々な建物や、自動車等の乗物に適用することが可能である。
【００５７】
また、本発明は、請求の範囲および明細書全体から読み取ることのできる発明の要旨または思想に反しない範囲で適宜変更可能であり、そのような変更を伴う電気錠システムもまた本発明の技術思想に含まれる。
【符号の説明】
【００５８】
１  電気錠システム
２  電気錠装置
３ａ、３ｂ  非接触キー（非接触媒体）
４  室外リーダ（室外読取装置）
５  室内リーダ（室内読取装置）
６  室外人感センサ（室外人検知装置）
７  室内人感センサ（室内人検知装置）
８  制御ユニット
１２  制御部
【図１】
2014173324.tif 000003
【図２】
2014173324.tif 000004